【手続補正書】
【提出日】平成21年10月14日(2009.10.14)
【手続補正１】
【補正対象書類名】特許請求の範囲
【補正対象項目名】全文
【補正方法】変更
【補正の内容】
【特許請求の範囲】
【請求項１】
充電電流を電池に供給するための電流源（２９０）と、
前記電池の劣化状態評価をするためのプロセスの一環として、前記電池が選択的に接続される複数の回路コンポーネント（２７２、２９２、２９４）と、
前記電流源によって前記電池の充電を調整し、前記電池劣化状態評価をするために、前記回路コンポーネントに前記電池を選択的に接続し、前記回路コンポーネントによって出力された信号に基づいて、前記電池劣化状態を決定するためのプロセッサ（２９８）とを含む充電式電池を再充電するための電池充電器（４２）であって、
前記プロセッサは、
前記電池が過酷な環境（４５６）にさらされてきたかを示すデータを前記電池から読み取り、
前記電池データは、前記電池が過酷な環境（４５８）にさらされていないことを示せば、充電プロセスの一環として、部分的劣化状態評価が前記電池に行われるように、前記電池を回路コンポーネントに選択的に接続し、
前記電池データは、前記電池が過酷な環境にさらされていたことを示せば、充電プロセスの一環として、前記部分的劣化状態評価および前記電池のさらなる劣化状態評価を含む全劣化状態評価が電池に実行されるように、前記電池を回路コンポーネントに選択的に接続するように構成されることを特徴とする、電池充電器。
【請求項２】
前記部分的劣化状態評価が、前記電池の充電後、前記電池に負荷電圧テストを実行することを備える、請求項１に記載の電池充電器。
【請求項３】
前記全劣化状態評価の一環として実行される前記さらなる劣化状態評価が、既知の充電状態にフル充電するのに必要な時間を決定するプロセスを備える、請求項１または２に記載の電池充電器。
【請求項４】
前記電池が前記既知の充電状態から放電される状態が、前記電池の放電状態である、請求項３に記載の電池充電器。
【請求項５】
前記電池の前記さらなる劣化状態評価を行う一環として、前記プロセッサが、前記電流源を前記電池に接続して前記電池を充電する前に前記電池を放電する、請求項１から４のいずれか一項に記載の電池充電器。
【請求項６】
前記全劣化状態評価において、プロセッサは、電池のフル放電時に前記電池をフル充電させるのに必要な時間と、充電済み電池の負荷電圧とに基づいて、前記電池の劣化状態を決定する、請求項１から５のいずれか一項に記載の電池充電器。
【請求項７】
前記プロセッサが読み取る前記電池データが、前記電池が過酷な環境にさらされたかを示すデータであり、前記電池が、規定の時間ブロックより長い間、しきい値レベルを超える温度にあったかを示すデータである、請求項１から６のいずれか一項に記載の電池充電器。
【手続補正２】
【補正対象書類名】明細書
【補正対象項目名】０１７２
【補正方法】変更
【補正の内容】
【０１７２】
このようにして、添付の特許請求の範囲の対象は、本発明の趣旨および範囲内にあるこのような変形例および修正例のすべてに及ぶ。
[請求項８]
ハウジング（６０、６２）と、
前記ハウジングに配置された少なくとも１つの充電式セル（４４）と、
前記セルに電荷を蓄積し、前記セルから電流を引き出すために、前記少なくとも１つの充電式セルに接続され、前記ハウジングに取り付けられた端子アセンブリ（７０）と、
電池の温度を表す温度信号を発生する、前記ハウジングに配置された温度センサと、
前記ハウジングに配置され、前記温度信号を受信し、メモリ（１８７）を含む、前記温度センサによって測定された電池温度を表すデータを前記メモリに格納するように構成され、前記セルによって励起するための前記少なくとも１つの充電式セルに接続されるプロセッサ（４６）とを含む電池（４０）であって、
前記プロセッサが、前記電池から第１の電流を流す通常動作モードと、前記第１の電流より低い第２の電流を前記電池から流す第１のパワーダウンモードとを有し、
前記プロセッサが、前記第１のパワーダウンモードにあるとき、前記プロセッサが、前記温度信号をモニタし、前記温度センサ信号が、前記電池温度がしきい値レベルを超えると示せば、前記プロセッサが、前記第１のパワーダウンモードから前記通常モードへ移行することを特徴とする、電池。
[請求項９]
前記プロセッサが、前記第２の電流より大きく、第３の電流より小さい第３の電流を、前記少なくとも１つのセルから流す第２のパワーダウンモードを有し、
前記第１のパワーダウンモードから通常パワーダウンモードへ前記プロセッサが移行する一環として、前記プロセッサが、前記第１のパワーダウンモードから前記第２のパワーダウンモードへ、その後、前記通常モードへと遷移する、請求項８に記載の電池。
[請求項１０]
前記プロセッサが、メモリ（１８７）を含み、
前記プロセッサが通常モードにあるとき、前記電池温度がしきい値レベルを超える時間量を示すデータを、前記プロセッサが前記メモリに、書き込む、請求項８または９に記載の電池。
[請求項１１]
発電ユニット（５２４）と、前記発電ユニットによって作動される手術／医療処置を施すための手術アタッチメント（５２６）と、前記発電ユニットの作動を調整するための制御回路（５３４、５３６）とを有する電動手術ツール（５２２）と、
前記電動手術ツールに取り外し可能に取り付け可能であり、前記ツール発電ユニットを励起するための少なくとも１つの充電式セル（４４）と、データが格納されるメモリ（１８８）とを有する電池（４０）とを含む電動手術ツールシステムであって、
前記電動手術ツールが、前記制御回路に接続されるデータ伝送ヘッド（５３５）をさらに含み、前記制御回路が、前記データ伝送ヘッドを介して、前記電動手術ツールの動作に関するデータを出力するようにさらに構成され、
前記電池が、前記ツールデータ送受信ヘッドから前記電池メモリへの接続を確立し、前記ツールデータ送受信ヘッドから受信したデータを前記メモリに書き込むようにさらに構成され、
前記電池を取り外し可能に受け入れるための静的ユニットが設けられ、前記静的ユニットが、前記電動ツールの動作に関するデータが格納された前記電池メモリにあるデータから読み取りを行うためのデバイス（２９８）を有することを特徴とする、電動手術ツールシステム。
[請求項１２]
前記電池を取り外し可能に受け入れるための充電器（４２）をさらに含み、前記充電器が、充電電流を前記少なくとも１つの充電式セルに印加するための電流源（２９０）を含み、前記電池メモリにあるデータを読み取るための前記デバイス（２９８）を含む、請求項１１に記載の電動手術ツールシステム。
[請求項１３]
前記静的ユニットが、データ送受信ヘッドによって通信バス（５８６）に接続され、前記電動ツールの動作に関して格納されたデータから読み取られたデータを前記通信バス上を通して出力するように構成される、請求項１１または１２に記載の電動手術ツールシステム。
[請求項１４]
電池を再充電するための少なくとも１つの電流源（２９０）と、
複数の放電抵抗器（２９２）と、
ヒートシンク（２６４）と、
前記放電抵抗器および前記少なくとも１つの電流源に前記電池を選択的に接続するためのプロセッサ（２９８）とを含む、複数の電池（４０）を同時に再充電するための充電器（４２）であって、
前記ヒートシンク付近の温度を表す温度信号を発生するための温度センサ（２７４）が設けられ、
前記プロセッサが、前記温度信号を受信し、前記温度信号と、しきい値温度とを比較し、前記温度信号は、前記ヒートシンク温度が前記しきい値温度より高いことを示す場合、少なくとも１つの電池を、前記電池が接続されている前記放電抵抗器から切り離すことを特徴とする、充電器。
[請求項１５]
前記放電抵抗器が、前記ヒートシンクに接続される、請求項１４に記載の充電器。
[請求項１６]
前記電流源、前記放電抵抗器、および前記ヒートシンクが、ハウジング（５０）に含まれ、
前記ハウジングが、換気ファンを含まない、請求項１４または１５に記載の充電器。
[請求項１７]
ハウジング（６０、６２）と、
前記ハウジングに配置された少なくとも１つの充電式セル（４４）と、
前記セルに電荷を蓄積し、前記セルから電流を引き出すために、前記少なくとも１つの充電式セルに接続され、前記ハウジングに取り付けられた端子アセンブリ（７０）と、
前記ハウジングの温度を表す温度信号を発生する前記ハウジングに配置された温度センサと、
前記ハウジングに配置され、前記温度センサを受け入れ、メモリ（１８７）を含む、前記温度センサによって測定された電池温度を表すデータを前記メモリに格納するように構成されるプロセッサ（４６）とを含む充電式電池（４０）であって、
前記プロセッサは、
前記電池温度が、しきい値レベルを超えて上昇するときを前記温度信号から決定し、
前記電池温度が、前記しきい値レベルを超えた時をモニタし、
前記電池温度が、前記しきい値レベルを超えた時を前記メモリに記録するようにさらに構成されることを特徴とする、充電式電池。
[請求項１８]
ハウジング（６０、６２）と、
対向する端部を有するセルアレイを形成するように合わせて配設された、前記ハウジングに配置された複数のセル（４４）と、
前記セルを合わせて固定するように、前記セルアレイの少なくとも一端上に配置されたバインダアセンブリ（１０２、１０４）と、
前記バインダアセンブリに取り付けられ、前記セルを電気的に接続するために、２つのセル間に接続された少なくとも１つの導電性ストラップ（１０６）と、
前記バインダアセンブリに取り付けられ、別々のセルに接続される対向する端部を有し、過度の電流が流れると気化する導電材料から形成されるヒューズ（１１８）とを含む電池（４０）であって、
前記ヒューズが、過度の電流が流れると気化するセクション（１１９）を有するように形成され、前記気化セクションが、前記ヒューズの端部間にある位置に設けられ、前記バインダアセンブリから間隔を置いて設けられることを特徴とする、電池。
[請求項１９]
前記ヒューズが、端部間にギャップ（１２０）を有するように形成され、前記ヒューズのセクションが、前記ヒューズの気化セクションであるギャップを規定する、請求項１８に記載の電池。
[請求項２０]
前記バインダアセンブリが、外周部に沿ってノッチ（１１７）を有するように形成され、
前記ヒューズが、前記バインダアセンブリノッチを貫通して延在し、前記気化セクションが前記ノッチに位置されるようにさらに位置付けられる、請求項１８または１９に記載の電池。
[請求項２１]
ハウジング（６０、６２）と、
セル配列（６２）を形成するように合わせて配設され、各々が外周表面を有する、前記ハウジングに配置された複数のセル（４４）と、
前記セルが隣接するように前記セルを合わせて保持するためのアセンブリ（１０２、１０４）とを含む電池（４０）であって、
少なくとも３列（９２、９４、９６）に配設され、各セルが別のセルと隣接し、前記セル配列の外周部をさらに形成するように互いに対して配設されるセルが、少なくとも７つあることを特徴とする、電池。
[請求項２２]
前記セルが、２列の外側セルと、少なくとも１列の中間セルとを有するように配設され、前記外側セルの列にあるセルが、前記中間列セルの対向する側面と隣接し、前記少なくとも１列の中間セルには、最大２つのセルがある、請求項２１に記載の電池。
[請求項２３]
前記セルが、各セルの前記外周表面の少なくとも１０％が、前記セル配列の前記外周部の部分を形成するように配設される、請求項２１または２２に記載の電池。
[請求項２４]
前記セルを合わせて保持するための前記アセンブリが、前記セルの一端に固定されたバインダアセンブリを備える、請求項２１から２３のいずれか一項に記載の電池。
[請求項２５]
少なくとも１つの充電式セル（４４）を設けるステップと、
一緒に配置されたときに囲いを形成する第１（６０）および第２（６６）のコンポーネントを備えるハウジングを設けるステップと、
前記少なくとも１つの充電式セルを前記ハウジングコンポーネントの１つに置くステップと、
前記ハウジングコンポーネントを係合させ、密封された囲いを形成するように前記ハウジングコンポーネントを共に密封するステップとを含む電池の組み立て方法であって、
前記第１のハウジングコンポーネント（６０）が、ある選択波長の光に対して少なくとも部分的に透過性である材料から形成され、内面（８８）に露出エッジを有するように形成され、
前記第２のハウジングコンポーネント（６６）が、前記選択波長で光を吸収する材料から形成され、前記第２のハウジングコンポーネントの外面に対してくぼみが付けられ、前記ハウジングコンポーネントが係合されるとき、前記第１のハウジング内面に対してくぼみが付けられる前記第１のハウジングコンポーネントの内面内および前記内面に隣接した位置にあるような寸法の表面（１５８）を有する露出リップ（１５２）を有するような形状にされ、
前記リップが、光を吸収し、前記第１のハウジングコンポーネントの内面との溶接継手を形成するように、前記ハウジングコンポーネントが係合された後、前記第１のハウジングコンポーネントを介して前記第２のハウジングコンポーネントの前記リップに前記選択波長で光を方向付けることを特徴とする方法。
[請求項２６]
前記第１のハウジングコンポーネントの内面（８８）または前記第２のハウジングコンポーネントの露出リップ表面（１５２）の少なくとも１つが、テーパ部を有するように形成され、
前記第２のハウジングコンポーネントに光を適用する前記ステップと同時に、前記ハウジングコンポーネントの少なくとも１つに圧力が印加されることで、前記第１のハウジングコンポーネントの内面（８８）および前記第２のハウジングコンポーネントの露出リップ表面（１５２）が、前記露出リップから前記第１のハウジングコンポーネントに熱エネルギーが移動するように隣接することで、前記第１および第２のハウジングコンポーネントの両方によって溶接が形成される、請求項２５に記載の電池の組み立て方法。